(57)【特許請求の範囲】
【請求項１】
下端部に攪拌翼を突設した回転軸の地中貫入工程と引き抜き工程の何れか一方、もしくは双方で、前記攪拌翼でその回転域に供給された粉粒体状の地盤改良材と地盤土壌とを攪拌混合して地盤を改良する地盤攪拌混合処理工法において、攪拌混合時に、攪拌翼の長さ方向の中間部から横方向に向かって、搬送用空気で搬送された地盤改良材の粉粒体と該粉粒体を拡散させる拡散用空気との混合流体と、拡散された粉粒体を湿らせて地盤土に付着し易くする霧状高圧水とを同時に吐出させるとともに、この混合流体と霧状高圧水とを同時に吐出させる際に、吐出口が設けられその内部を上下２層に分割した吐出具を用いて、この吐出具の下層より地盤改良材の粉粒体と拡散用空気との混合流体を吐出させ、吐出具の上層より霧状高圧水を吐出させることを特徴とする地盤攪拌混合処理工法。
【請求項２】
下端部に攪拌翼を突設した回転軸の地中貫入工程と引き抜き工程の何れか一方、もしくは双方で、前記攪拌翼でその回転域に供給された地盤改良材の粉粒体と地盤土壌とを攪拌混合して地盤を改良する地盤攪拌混合処理装置において、攪拌翼の長さ方向の中間部の上側面もしくは下側面の何れかに、流入側から流出側に向かって次第に巾広に形成して、流出側に横長の吐出口を設けるとともに、内部を上下２層に分割した吐出具を、前記吐出口を回転軸の地中貫入時の攪拌翼の回転方向とは逆の方向に向けて設置し、前記吐出具の、下層の流入側には地盤改良材の粉粒体と拡散用空気とを混合させるエジェクタの出口部を、また、上層の流入側には霧発生用高圧水の供給管の先端を、それぞれ接続したことを特徴する地盤攪拌混合処理装置。
【発明の詳細な説明】
【０００１】
【発明が属する技術分野】
本発明は、地盤攪拌混合処理の工法と装置に関するものである。
【０００２】
【従来の技術】
下端部に攪拌翼を突設した回転軸の地中貫入工程と引き抜き工程の何れか一方もしくは双方で、前記攪拌翼の回転域に供給された地盤改良材（セメント，石灰等）の粉粒体と地盤土壌とを攪拌混合して地盤を改良する地盤攪拌混合処理工法と装置の従来例では、搬送用空気で搬送した地盤改良材の粉粒体を攪拌翼の付け根部分に設けた吐出口から攪拌翼の回転方向裏側で攪拌翼の長さ方向に吐出させるようにしているのが一般的である。
【０００３】
ところで、地盤改良材の粉粒体の地中吐出では、地盤改良材の粉粒体を、攪拌翼の回転域に一様に分散させるとともに、確実に地中に留めることが重要であるが、前述の従来技術における地盤改良材の粉粒体の地中吐出態様ではこの重要事項が十分に充足されているとは言えず、攪拌回数を増やす等の現実的な手段で対処しているのが実情である。
【０００４】
【発明が解決しようとする課題】
本発明が解決しようとする課題（本発明の目的）は、前記実情に鑑み、地盤改良材の粉粒体を地中吐出するときの重要事項が十分に充足され、もって、品質的に信頼できる地盤改良を経済的に有利に行うことができる地盤攪拌混合処理工法と該工法の実施用として好適な装置を提供することにある。
【０００５】
【課題を解決するための手段】
前記課題を解決するために、本発明の地盤攪拌混合処理工法（以下、本発明の工法という）では、下端部に攪拌翼を突設した回転軸の地中貫入工程と引き抜き工程の何れか一方、もしくは双方で、前記攪拌翼でその回転域に供給された粉粒体状の地盤改良材と地盤土壌とを攪拌混合して地盤を改良する地盤攪拌混合処理工法において、攪拌混合時に、攪拌翼の長さ方向の中間部から横方向に向かって、搬送用空気で搬送された地盤改良材の粉粒体と該粉粒体を拡散させる拡散用空気との混合流体と、拡散された粉粒体を湿らせて地盤土に付着し易くする霧状高圧水とを同時に吐出させるとともに、この混合流体と霧状高圧水とを同時に吐出させる際に、吐出口が設けられその内部を上下２層に分割した吐出具を用いて、この吐出具の下層より地盤改良材の粉粒体と拡散用空気との混合流体を吐出させ、吐出具の上層より霧状高圧水を吐出させるようにしている。
【０００６】
また、本発明の地盤攪拌混合処理装置（以下、本発明の装置という）では、下端部に攪拌翼を突設した回転軸の地中貫入工程と引き抜き工程の何れか一方、もしくは双方で、前記攪拌翼でその回転域に供給された粉粒体状の地盤改良材と地盤土壌とを攪拌混合して地盤を改良する地盤攪拌混合処理装置において、攪拌翼の長さ方向の中間部の上側面もしくは下側面の何れかに、流入側から流出側に向かって次第に巾広に形成して、流出側に横長の吐出口を設けるとともに、内部を上下２層に分割した吐出具を、前記吐出口を回転軸の地中貫入時の攪拌翼の回転方向とは逆の方向に向けて設置し、前記吐出具の、下層の流入側には地盤改良材の粉粒体と拡散用空気とを混合させるエジェクタの出口部を、また、上層の流入側には霧発生用高圧水の供給管の先端を、それぞれ接続させている。
【０００７】
なお、本発明の工法と装置の前記構成中、「攪拌翼の長さ方向の中間部」は、攪拌翼の長さの２等分点付近は勿論のこと、その軌跡で攪拌翼の回転域の面積が２等分される攪拌翼上の点（いわゆる面積中心）付近をも含む。
【０００８】
【発明の実施の形態】
以下、本発明の工法と装置について一括して説明するが、本発明の工法と装置は共に地盤改良材の粉粒体の地中吐出態様に特徴点があり、その他の点では攪拌軸の下端部に突設した攪拌翼でその回転域に供給された地盤改良材の粉粒体と地盤土壌とを攪拌混合して地盤を改良するこの種地盤攪拌混合処理工法と装置の従来例と同様であるので、特徴点以外の図示、説明は成るべく省略する。
【０００９】
本発明の装置の一実施例の一部を示す図１において、１は回転軸、２，２’は回転軸１の下端部に突設された攪拌翼、３は一方の攪拌翼２の長さ方向の中間部に設置された吐出具であり、図の場合は吐出具３が攪拌翼２の上側面に設置されているが、攪拌翼２の下側面に設置しでもよい。
【００１０】
吐出具３は、図２に示すように、扁平で、流入側から流出側に向かって次第に巾広に形成され、流出側に横長の吐出口４が設けられており、また、その内部は上下２層に分割され、下層の流入側には地盤改良材の粉粒体と拡散用空気とを混合させるエジェクタ５の出口が、また、上層の流入側には霧発生用高圧水の供給管６の先端が、それぞれ接続されている。
【００１１】
図２において、７は地盤改良材の粉粒体の供給管、８は拡散用空気の供給管であり、これらの供給管の先端側は、図示のようにエジェクタ５に接続され、また、基端側は、供給管６の基端側とともに、回転軸１の内部を通って上方に延び、供給管７は地盤改良材の粉粒体と搬送用の圧縮空気の供給源に、供給管８は拡散用の圧縮空気の供給源に、それぞれ連通し、そして、供給管６も高圧水の供給源に連通している。
【００１２】
図１における矢印Ａは回転軸１の貫入時の回転方向であり、吐出具３は吐出口４を矢印Ａと逆の方向に向けて設置されるが、このようにすることにより、吐出口４に地盤土が入って詰まることが有効に防止される。
【００１３】
なお、この場合、引き抜き時に回転軸１の回転方向を逆にすると、回転軸１の回転方向と吐出口４の向きが同じになって地盤土が吐出口４に入るようになるが、引き抜き時には地盤土が攪拌されて軟らかくなっているので、吐出口４からの吐出が妨げられる等の支障は生じない。
【００１４】
地盤改良材の粉粒体を搬送する搬送用空気の圧力は搬送距離が長くなるにつれて次第に低下するが、本発明では、別途、拡散用空気を供給することでエジェクタ効果が発揮されて、地盤改良材の粉粒体の圧送が助長されるとともに、拡散用空気の拡散力で地盤改良材の粉粒体が拡散され、そして、霧発生用高圧水を同時に吐出することで、拡散された地盤改良材の粉粒体が湿らされ、重くなって、吐出口４の出口付近で地盤土に付着し易くなる。
【００１５】
このようにして、本発明によれば、地盤改良材の粉粒体が攪拌翼２の回転域に一様にむらなく分散して地盤土に付着するようになるので、強度的に均一で品質的に信頼できる地盤改良を、地盤改良材の粉粒体の無駄を成るべく少なくして経済的に行うことができる。
【図面の簡単な説明】
【図１】本発明の装置の一実施例の要部の正面図である。
【図２】図１の一部の拡大斜視図である。
【符号の説明】
１：回転軸、２，２’：攪拌翼、３：吐出具、４：吐出口、５：エジェクタ、６，７，８：供給管、Ａ：矢印。
【図１】
0003750058.tif 000002
【図２】
0003750058.tif 000003